(57)【要約】【課題】環境温度に影響されずに安定した出力を確保でき、劣化による出力低下が発生せず、取付方向の自由度も確保できる連結装置を提供する。【解決手段】ナット１２が螺旋状の溝部１２ａと回転体１０の雄螺子部１０ａとの間に球状のボール１２ｂが係合する状態で回転体１０に外挿されており、箱の開口部を開閉する扉に回転体１０側の扉側ブラケット１８を取り付け、箱の開口部近傍にナット１２側の箱側ブラケット２０を取り付けるようになっている。このことにより、オイルを使用しないために環境温度によるオイル粘性の変化やオイル漏れのおそれがなく、ガスを使用しないために環境温度によるガス圧の変化やガス漏れのおそれがない。また、オイルを使用しないために取付方向が限定されない。【選択図】図１
2013160340.tif 000002
【特許請求の範囲】
【請求項１】
二つの物体を互いの位置関係が変化可能に連結する連結装置であって、
互いに螺合する第一の部材と第二の部材とを備え、前記第一の部材が前記二つの物体のうちの何れか一方に取り付け可能であり、前記第二の部材が前記二つの物体のうちの他方に取り付け可能であることを備えることを特徴とする連結装置。
【請求項２】
請求項１に記載の連結装置において、
前記第一の部材と前記第二の部材との間には球体が介在することを特徴とする連結装置。
【請求項３】
請求項１または請求項２の何れか１項に記載の連結装置において、
前記第一の部材または前記第二の部材のうちの何れか一方に対して力を作用させる第三の部材を備えることを特徴とする連結装置。
【請求項４】
請求項１〜請求項３の何れか１項に記載の連結装置において、
前記第一の部材には雄螺子部が形成され、前記第二の部材には前記雄螺子部に螺合する雌螺子部が形成されることを特徴とする連結装置。
【発明の詳細な説明】
【技術分野】
【０００１】
本発明は、二つの物体を互いの位置関係が変化可能に連結する連結装置に関する。
【背景技術】
【０００２】
従来より、構造物の開口部を開閉するための開閉部材と前記構造物との間に介在して、開閉部材の開閉動作を制御するステイダンパーが知られている（例えば特許文献１〜３参照）。
【０００３】
この種のステイダンパーは、筒状のシリンダー内に充填した気体やオイル、スプリングによって棒状のロッドを外方に突出させるよう付勢する構成を有する。
【先行技術文献】
【特許文献】
【０００４】
【特許文献１】特開平１１−３４８６２１号公報
【特許文献２】特開２００６−１３８４５６号公報
【特許文献３】特開２００９−１０７４１２号公報
【発明の概要】
【発明が解決しようとする課題】
【０００５】
しかし、上述のようなステイダンパーにおいては、環境温度によってオイル粘性やガス圧が変化するために安定した出力を確保できないという問題があった。また、シール材の劣化によってガス漏れやオイル漏れが発生して出力が低下するおそれがあった。さらに、漏れたオイルが垂れないためにはロッドの先端側が上方に向くように取り付ける必要があり、取付方向が限定されるという問題があった。また、スプリングを用いる場合でも、スプリングの劣化によって出力が低下するおそれがあった。
【０００６】
本発明は、このような課題に鑑みなされたものであり、その目的とするところは、環境温度に影響されずに安定した出力を確保でき、劣化による出力低下が発生せず、取付方向の自由度も確保できる連結装置を提供することにある。
【課題を解決するための手段】
【０００７】
上記課題を解決するためになされた請求項１に係る連結装置は、二つの物体を互いの位置関係が変化可能に連結する連結装置であって、互いに螺合する第一の部材と第二の部材とを備え、前記第一の部材が前記二つの物体のうちの何れか一方に取り付け可能であり、前記第二の部材が前記二つの物体のうちの他方に取り付け可能であることを備えることを特徴とする。
【０００８】
このように構成された本発明の連結装置によれば、オイルを使用しないために環境温度によるオイル粘性の変化やオイル漏れのおそれがなく、ガスを使用しないために環境温度によるガス圧の変化やガス漏れのおそれがない。また、オイルを使用しないために取付方向が限定されない。
【０００９】
したがって、本発明の連結装置によれば、環境温度に影響されずに安定した出力を確保でき、従来構成のような劣化による出力低下が発生せず、取付方向の自由度も確保することができる。
【００１０】
請求項２に係る連結装置は、請求項１に記載の連結装置において、前記第一の部材と前記第二の部材との間には球体が介在することを特徴とする。
このように構成された本発明の連結装置によれば、第一の部材と第二の部材との間の位置関係の変化をより円滑に行うことができる。
【００１１】
請求項３に係る連結装置は、請求項１または請求項２の何れか１項に記載の連結装置において、前記第一の部材または前記第二の部材のうちの何れか一方に対して力を作用させる第三の部材を備えることを特徴とする。
【００１２】
このように構成された本発明の連結装置によれば、二つの物体の位置関係の変化を早めたり遅らせたりすることができる。
請求項４に係る連結装置は、請求項１〜請求項３の何れか１項に記載の連結装置において、前記第一の部材には雄螺子部が形成され、前記第二の部材には前記雄螺子部に螺合する雌螺子部が形成されることを特徴とする。
【００１３】
このように構成された本発明の連結装置によれば、第一の部材と第二の部材との間の位置関係の変化をより円滑に行うことができる。
【図面の簡単な説明】
【００１４】
【図１】本発明が適用された連結装置の概略構成を示す図面であり、（ａ）は側面図、（ｂ）はＡＡ断面図である。
【図２】本発明が適用された連結装置の使用例を示す図面である。
【図３】本発明が適用された他の実施形態の連結装置の概略構成を示す図面であり、（ａ）は側断面図（１）、（ｂ）は側断面図（２）である。
【発明を実施するための形態】
【００１５】
以下に本発明の実施形態を図面とともに説明する。
［第一実施形態］
図１に示す連結装置１は、構造物の開口部を開閉するための開閉部材と構造物との間に介在して、開閉部材の開閉動作を制御する装置である。
【００１６】
［１．連結装置１の構成の説明］
連結装置１は、回転体１０と、ナット１２と、前端側ストッパー１４と、後端側ストッパー１６と、扉側ブラケット１８と、箱側ブラケット２０と、を備える。
【００１７】
回転体１０は、金属製で円柱形状の部材であり、表面には雄螺子部１０ａが左ねじ（Ｓ巻き）で形成されている。
一方、ナット１２は、金属製で筒状の部材であり、内壁面には溝部１２ａが螺旋状に形成されている。なお、螺旋状である溝部１２ａの巻き方向およびピッチ幅については、ナット１２を回転体１０に外挿した際に、溝部１２ａが回転体１０の雄螺子部１０ａに対向するよう設定されている。そして、ナット１２は、溝部１２ａと回転体１０の雄螺子部１０ａとの間に球状のボール１２ｂが係合する状態で回転体１０に外挿される。
【００１８】
また、回転体の１０の一方の端部（前端）１０ｂには、前端側ストッパー１４が回転可能に取り付けられている。具体的には、前端側ストッパー１４は、金属製で板状の部材を断面コの字状に折り曲げた形状を有しており、前端側ストッパー１４の中央部１４ａには貫通孔１４ｂが形成されている。そして、この前端側ストッパー１４の貫通孔１４ｂに軸受け１３を介して内挿された回転体１０の前端１０ｂが回転可能に固定されている。
【００１９】
また、回転体の１０の他方の端部（後端）１０ｃには、金属製で円環状の後端側ストッパー１６が取り付けられている。
したがって、ナット１２を回転体１０に対して相対的に回転体１０の後端１０ｃ側から前端１０ｂ側を見た際の時計回りに回転させると、雄螺子部１０ａに係合するボール１２ｂに溝部１２ａが案内されて、ナット１２が回転体１０の後端１０ｃ側から前端１０ｂ側に向けて前端側ストッパー１４に当接するまで移動可能であり、一方、同反時計回りに回転させると、ナット１２が回転体１０の前端１０ｂ側から後端１０ｃ側に向けて後端側ストッパー１６に当接するまで移動可能となっている。
【００２０】
さらに、前端側ストッパー１４には、略Ｔ字形状の扉側ブラケット１８が回動可能に取り付けられている。具体的には、前端側ストッパー１４の両端部１４ｃ，１４ｄには貫通孔１４ｅ，１４ｆがそれぞれ形成されており、貫通孔１４ｅ，１４ｆには、扉側ブラケット１８の中央部１８ａから両側それぞれに向けて延出する軸部１８ｂ，１８ｃが内挿され、扉側ブラケット１８が回動可能となっている。なお、扉側ブラケット１８の回動方向は、回転体１０の回転軸に直交する方向を中心軸とする方向である。また、扉側ブラケット１８の両端部１８ｄ，１８ｅそれぞれには貫通孔１８ｆ，１８ｇが形成されており、ビスなどを用いて扉側ブラケット１８を扉などの開閉部材に固定することができる。
【００２１】
また、ナット１２には、箱側ブラケット２０が回動可能に取り付けられている。具体的には、箱側ブラケット２０は、金属製で板状の部材を中央部２０ａが両端部２０ｂ，２０ｃよりも一段後方となるよう折り曲げた形状を有しており、中央部２０ａがナット１２の側面に固定されている。また、箱側ブラケット２０の両端部２０ｂ，２０ｃそれぞれには貫通孔２０ｄ，２０ｅが形成されており、ビスなどを用いて箱側ブラケット２０を箱などの構造物に固定することができる。
【００２２】
なお、回転体１０が特許請求の範囲における第一の部材に該当し、ナット１２が特許請求の範囲における第二の部材に該当し、ボール１２ｂが特許請求の範囲における球体に該当する。
【００２３】
［２．連結装置１の動作の説明］
次に、連結装置１の動作を、図２を参照して説明する。
まず、連結装置１を箱１００に取り付ける。具体的には、図２に例示するように、箱１００の開口部１０１を開閉する扉１０２に扉側ブラケット１８を取り付け、箱１００の開口部近傍に箱側ブラケット２０を取り付けることで、連結装置１が箱１００に取り付けられる。
【００２４】
扉１０２で開口部１０１を閉鎖するには、扉１０２を開口部１０１を閉鎖する方向に付勢する。すると、この付勢力によって回転体１０が回転体１０の後端１０ｃ側から前端１０ｂ側を見た際の反時計回りに回転して、ナット１２が回転体１０の後端１０ｃ側から前端１０ｂ側へ移動するとともに、扉１０２が開口部１０１を閉鎖する方向に回動する。このとき、回転体１０およびナット１２によって前記付勢力に対する抵抗力が発生する。なお、ナット１２が後端側ストッパー１６に当接するまでは扉１０２が閉鎖方向に回動可能である。
【００２５】
また、上述のような付勢力を用いずに、扉１０２の自重を利用して扉１０２を開口部１０１を閉鎖する方向に回動させてもよい。すなわち、扉１０２の荷重によって回転体１０が前端１０ｂ側から後端１０ｃ側へ移動する力が作用し、この力によって回転体１０が回転体１０の後端１０ｃ側から前端１０ｂ側を見た際の反時計回りに回転して、ナット１２が回転体１０の後端１０ｃ側から前端１０ｂ側へ移動するとともに、扉１０２が開口部１０１を閉鎖する方向に回動する。このとき、回転体１０およびナット１２によって減衰力が発生し、扉１０２の閉鎖方向への回動が減衰される。なお、ナット１２が後端側ストッパー１６に当接するまでは扉１０２が閉鎖方向に回動可能である。
【００２６】
一方、扉１０２を回動させて開口部１０１を開放するには、扉１０２を開口部１０１を開放する方向に付勢する。すると、この付勢力によって回転体１０が回転体１０の後端１０ｃ側から前端１０ｂ側を見た際の時計回りに回転して、ナット１２が回転体１０の前端１０ｂ側から後端１０ｃ側へ移動するとともに、扉１０２が開口部１０１を開放する方向に回動する。このとき、回転体１０およびナット１２によって前記付勢力に対する抵抗力が発生する。なお、ナット１２が前端側ストッパー１４に当接するまでは扉１０２が開放方向に回動可能である。
【００２７】
［３．第一実施形態の効果］
（１）このように第一実施形態の連結装置１によれば、ナット１２が螺旋状の溝部１２ａと回転体１０の雄螺子部１０ａとの間に球状のボール１２ｂが係合する状態で回転体１０に外挿されており、箱１００の開口部１０１を開閉する扉１０２に回転体１０側の扉側ブラケット１８を取り付け、箱１００の開口部近傍にナット１２側の箱側ブラケット２０を取り付けるようになっている。このことにより、オイルを使用しないために環境温度によるオイル粘性の変化やオイル漏れのおそれがなく、ガスを使用しないために環境温度によるガス圧の変化やガス漏れのおそれがない。また、オイルを使用しないために取付方向が限定されない。したがって、環境温度に影響されずに安定した出力を確保でき、従来構成のような劣化による出力低下が発生せず、取付方向の自由度も確保することができる。
【００２８】
（２）また、第一実施形態の連結装置１によれば、ナット１２が螺旋状の溝部１２ａと回転体１０の雄螺子部１０ａとの間に球状のボール１２ｂが係合する状態で回転体１０に外挿されており、回転体１０の雄螺子部１０ａとナット１２の溝部１２ａとの間に球状のボール１２ｂが介在するので、回転体１０とナット１２との間の位置関係の変化をより円滑に行うことができる。
【００２９】
［４．他の実施形態］
以上、本発明の一実施形態について説明したが、本発明は上記実施形態に限定されるものではなく、以下のような様々な態様にて実施することが可能である。
【００３０】
（１）上記実施形態では、回転体１０の雄螺子部１０ａとナット１２の溝部１２ａとの間に球状のボール１２ｂが介在するよう構成されているが、これには限られず、ナット１２の溝部１２ａを回転体１０の雄螺子部１０ａと螺合可能な雌螺子部として構成して、回転体１０の雄螺子部１０ａとナット１２の雌螺子部としての溝部１２ａとを螺合させるようにしてもよい。
【００３１】
このように構成しても上記実施形態と同様に、環境温度に影響されずに安定した出力を確保でき、従来構成のような劣化による出力低下が発生せず、取付方向の自由度も確保することができる。また、回転体１０とナット１２との間の位置関係の変化をより円滑に行うことができる。
［第二実施形態］
第二実施形態の連結装置２は、図３に例示するように、扉１０２を開放方向に付勢する付勢手段としての圧縮バネ２４を備える点が第一実施形態の連結装置１とは異なる。
【００３２】
［１．連結装置２の構成の説明］
具体的には、連結装置２では、一方の端部が開口する筒状のパイプ２２に、上述の回転体１０およびナット１２を内蔵させるとともに、回転体１０の後端１０ｃを前端１０ｂに向けて付勢する圧縮バネ２４を内蔵させる。
【００３３】
このとき、圧縮バネ２４については、後端２４ａをパイプ２２の底部２２ａに当接させながら、前端２４ｂを軸受け２６を介して回転体１０の後端１０ｃに取り付けて、回転体１０が圧縮バネ２４に対して相対的に回転可能な状態とする。また、ナット１２については、パイプ２２の内壁面２２ｂに固定し、回転体１０の前端１０ｂがパイプ２２の前端２２ｃの開口部２２ｄから外部に位置する状態とする。また、パイプ２２の後端２２ｅには、箱側ブラケット２８が取り付けられ、回転体１０の前端１０ｂには、軸受け３０を介して扉側ブラケット３２が取り付けられ、回転体１０が扉側ブラケット３２に対して相対的に回転可能な状態とする。
【００３４】
なお、圧縮バネ２４が特許請求の範囲における第三の部材に該当する。
［２．連結装置２の動作の説明］
次に、連結装置２の動作を説明する。
【００３５】
箱１００への取り付けは、扉１０２に扉側ブラケット３２を取り付け、箱１００の開口部近傍に箱側ブラケット２８を取り付ける。
扉１０２で開口部１０１を閉鎖するには、扉１０２を開口部１０１を閉鎖する方向に付勢する。すると、この付勢力によって回転体１０が回転体１０の後端１０ｃ側から前端１０ｂ側を見た際の反時計回りに回転して、ナット１２が回転体１０の後端１０ｃ側から前端１０ｂ側へ移動するとともに、扉１０２が開口部１０１を閉鎖する方向に回動する。このとき、圧縮バネ２４の圧縮によって前記付勢力に対する抵抗力が発生する。
【００３６】
一方、扉１０２を回動させて開口部１０１を開放するには、圧縮バネ２４の付勢力によって回転体１０が回転体１０の後端１０ｃ側から前端１０ｂ側を見た際の時計回りに回転して、ナット１２が回転体１０の前端１０ｂ側から後端１０ｃ側へ移動するとともに、扉１０２が開口部１０１を開放する方向に回動する。なお、ナット１２が前端側ストッパー１４に当接するまでは扉１０２が開放方向に回動可能である。
【００３７】
［３．第二実施形態の効果］
（１）このように第二実施形態の連結装置２によれば、上記第一実施形態の連結装置１と同様に、環境温度に影響されずに安定した出力を確保でき、従来構成のような劣化による出力低下が発生せず、取付方向の自由度も確保することができる。
【００３８】
（２）また、第二実施形態の連結装置２によれば、回転体１０の後端１０ｃを前端１０ｂに向けて付勢する圧縮バネ２４を備えるので、扉１０２で開口部１０１を閉鎖する際には、圧縮バネ２４の圧縮によって扉１０２の閉鎖に対する抵抗力が発生し、一方、扉１０２で開口部１０１を開放する際には、圧縮バネ２４の伸張によって扉１０２を開放しようとする付勢力が発生する。したがって、圧縮バネ２４の作用によって二つの物体（箱１００と扉１０２）の位置関係の変化を早めたり遅らせたりすることができる。
【００３９】
［４．他の実施形態］
以上、本発明の一実施形態について説明したが、本発明は上記実施形態に限定されるものではなく、以下のような様々な態様にて実施することが可能である。
【００４０】
（１）上記実施形態においても、ナット１２の溝部１２ａを回転体１０の雄螺子部１０ａと螺合可能な雌螺子部として構成して、回転体１０の雄螺子部１０ａとナット１２の雌螺子部としての溝部１２ａとを螺合させるようにしてもよい。
【００４１】
このように構成しても、環境温度に影響されずに安定した出力を確保でき、従来構成のような劣化による出力低下が発生せず、取付方向の自由度も確保することができる。また、回転体１０とナット１２との間の位置関係の変化をより円滑に行うことができる。
【符号の説明】
【００４２】
１，２…連結装置、１０…回転体、１０ａ…雄螺子部、１０ｂ…回転体の前端、１０ｃ…回転体の後端、１２…ナット、１２ａ…溝部、１２ｂ…ボール、１３…軸受け、１４…前端側ストッパー、１４ａ…前端側ストッパーの中央部、１４ｂ，１４ｅ…貫通孔、１４ｃ，１４ｄ…前端側ストッパーの端部、１６…後端側ストッパー、１８…扉側ブラケット、１８ａ…扉側ブラケットの中央部、１８ｂ，１８ｃ…軸部、１８ｄ，１８ｅ…扉側ブラケットの端部、１８ｆ，１８ｇ…貫通孔、２０…箱側ブラケット、２０ａ…箱側ブラケットの中央部、２０ｂ，２０ｃ…箱側ブラケットの端部、２０ｄ，２０ｅ…貫通孔、２２…パイプ、２２ａ…底部、２２ｂ…内壁面、２２ｃ…パイプの前端、２２ｄ…開口部、２２ｅ…パイプの後端、２４…圧縮バネ、２４ａ…圧縮バネの後端、２４ｂ…圧縮バネの前端、２６，３０…軸受け、２８…箱側ブラケット、３２…扉側ブラケット、１００…箱、１０１…開口部、１０２…扉
【図１】
2013160340.tif 000003
【図２】
2013160340.tif 000004
【図３】
2013160340.tif 000005